(57)【要約】【課題】汎用の継手と組み合わせて任意の数の分岐流路を構成することができ、安定した状態で固定可能であり、コンパクト性を向上させて部品点数を少なく抑えることもできる両挿しチーズ継手を提供する。【解決手段】チーズ本体２の管軸Ｐ方向の両端に継手挿口形状を呈する円筒部３をそれぞれ設けると共に、チーズ本体２のチーズ分岐位置にワンタッチ継手構造を有する樹脂管接合用の分岐受口４を設けた両挿しチーズ継手とこれを用いた回転ヘッダー並びにメータユニット用の分岐継手である。【選択図】図１
2011179660.tif 000002
【特許請求の範囲】
【請求項１】
チーズ本体の管軸方向の両端に継手挿口形状を呈する円筒部をそれぞれ設けると共に、前記チーズ本体のチーズ分岐位置にワンタッチ継手構造を有する樹脂管接合用の分岐受口を設けたことを特徴とする両挿しチーズ継手。
【請求項２】
前記円筒部の外周にワンタッチ継手の抜け止め用ロックリングを係合する係合溝を形成した請求項１に記載の両挿しチーズ継手。
【請求項３】
前記分岐受口の外周を透明筒体で形成して樹脂管の挿入量を目視確認できるようにした請求項１又は２に記載の両挿しチーズ継手。
【請求項４】
前記円筒部の挿口をチーズ形、エルボ形などのワンタッチ継手に接続して複数の分岐口を有する分岐ヘッダー継手とした請求項１乃至３の何れか１項に記載の両挿しチーズ継手を用いた回転ヘッダー。
【請求項５】
前記両挿しチーズ継手と前記ワンタッチ継手とを管軸を中心にそれぞれ回転可能に接続した請求項４に記載の両挿しチーズ継手を用いた回転ヘッダー。
【請求項６】
前記円筒部の一方側に水道用メータユニットの二次側をワンタッチ継手を介して接続し、前記円筒部の他方側にワンタッチ継手構造を有するエルボ継手を接続して分岐継手構造とした請求項１乃至３の何れか１項に記載の両挿しチーズ継手を用いたメータユニット用の分岐継手。
【請求項７】
前記両挿しチーズ継手、前記ワンタッチ継手並びにエルボ継手とを管軸を中心にそれぞれ回転可能に接続した請求項６に記載の両挿しチーズ継手を用いたメータユニット用の分岐継手。
【発明の詳細な説明】
【技術分野】
【０００１】
本発明は、給水・給湯配管などに分岐流路を設けるための両挿しチーズ継手とこれを用いた回転ヘッダー並びにメータユニット用の分岐継手に関する。
【背景技術】
【０００２】
従来、給水・給湯配管などに分岐流路を設ける際には、ヘッダーピース型の三方分岐型の継手が用いられる。三方分岐継手を用いて分岐流路を構成した場合、分岐流路が独立して回転し、この分岐流路の向きを変更することで配管接続の自由度を高めることが可能になる。更に、自由度を高めるための三方分岐継手として、回転可能な状態を確保しながらヘッダーピースを増減可能に接続できるようにした三方分岐継手がある。
【０００３】
この種の三方分岐継手として、例えば、特許文献１の回転式ヘッダーピースが知られている。同文献１のヘッダーピースは、回転ヘッダーの一部を構成するものであり、ボディ内に直線の流路が形成され、この直線流路に対して直角をなす配管パイプ接続用のアダプター部が備えられ、流路の一方側にボディより突出する筒体が形成され、他方側にはこの筒体が挿入される被挿入部が形成されている。この被挿入部には、グラブリング、ワッシャー、Ｏ−リングが挿入され、隣接する別のヘッダーピースの筒体が挿入されたときにこの筒体をソケットの螺合により接続するようになっている。
【０００４】
一方、特許文献２には流体分配用のヘッダーが開示されている。このヘッダーは、Ｔ字状の三方継手が管軸方向に沿って短管により連結されることにより構成されている。このヘッダーに用いられる三方継手は、三方側にシール用ゴム輪が配設された受け口を有し、この受け口に短管が差し込まれることにより、この短管を介して別の三方継手と連結される。
特許文献３は、両端にコネクターを係止して連結するための連結管に関するものであり、同文献３には、この連結管を主管部と支管部とを備えたコネクターに挿入することにより連結されたヘッダーが記載されている。
【先行技術文献】
【特許文献】
【０００５】
【特許文献１】特許第３５６１０６２号公報
【特許文献２】特開２０００−２４０８７９号公報
【特許文献３】特開平１１−２６４４９２号公報
【発明の概要】
【発明が解決しようとする課題】
【０００６】
しかしながら、特許文献１のヘッダーピースは、流路の一方側の筒体と他方側の被挿入部とが一対の特有の接続構造を有しているため、一般的に利用されている汎用的な継手部材との互換性が低くなっている。そのため、例えば、このヘッダーピースによって回転ヘッダーを設けようとした場合には、このヘッダーピースを専用の継手部材として数多く用意する必要が生じ、ヘッダーピースの数の増加によりコストアップに繋がる場合が多くなっていた。
【０００７】
一方、このヘッダーピースにより１つの流路を２口に分岐した分岐継手を設けようとした場合、ヘッダーピースの筒体側を流路に接続すると他端側には被挿入部が配設され、この被挿入部に一般的なエルボ等の接続部材を接続することができなくなる。そのため、このヘッダーピースを用いる場合、被挿入部に接続可能な挿入筒部を有する専用構造の片挿し型の接続部材を別途設けるか、或は、専用の片挿し用のおねじ金具を別途設けることにより接続部材を接続する必要が生じることになる。
【０００８】
更に、上記のヘッダーピースは、ソケットの螺合により隣接するヘッダーピースを接続し、ボディにおけるソケットの螺合部位付近にアダプター部が形成された構造であることから、ボディを固定支持することが難しくなっている。そのため、このヘッダーピースが接続された回転ヘッダーを固定支持する際には継手受口付近を支持することになり、接続箇所がぐらついて不安定になるおそれがある。
【０００９】
一方、特許文献２や３においては、両側に継手の受け口を有し、この受け口を向かい合わせた状態で短管や連結管により接続する構造であるため分岐口の間隔が長くなり、その結果、ヘッダーの全長も極端に長くなる傾向にあった。これらのヘッダーは、全長が長くなると所定の収納スペースに納まりづらくなるため、分岐口数が制限される場合もあった。
更に、これらのヘッダーは、主管部分の両側に短管や連結管の接続機構を有しているため、接続用の構成部品が倍加してコストアップにも繋がっていた。
【００１０】
本発明は、上記の課題点を解決するために開発したものであり、その目的とするところは、汎用の継手と組み合わせて任意の数の分岐流路を構成することができ、安定した状態で固定可能であり、コンパクト性を向上させて部品点数を少なく抑えることもできる両挿しチーズ継手とこれを用いた回転ヘッダー並びにメータユニット用の分岐継手を提供することにある。
【課題を解決するための手段】
【００１１】
上記目的を達成するため、請求項１に係る発明は、チーズ本体の管軸方向の両端に継手挿口形状を呈する円筒部をそれぞれ設けると共に、チーズ本体のチーズ分岐位置にワンタッチ継手構造を有する樹脂管接合用の分岐受口を設けた両挿しチーズ継手である。
【００１２】
請求項２に係る発明は、円筒部の外周にワンタッチ継手の抜け止め用ロックリングを係合する係合溝を形成した両挿しチーズ継手である。
【００１３】
請求項３に係る発明は、分岐受口の外周を透明筒体で形成して樹脂管の挿入量を目視確認できるようにした両挿しチーズ継手である。
【００１４】
請求項４に係る発明は、円筒部の挿口をチーズ形、エルボ形などのワンタッチ継手に接続して複数の分岐口を有する分岐ヘッダー継手とした両挿しチーズ継手を用いた回転ヘッダーである。
【００１５】
請求項５に係る発明は、両挿しチーズ継手とワンタッチ継手とを管軸を中心にそれぞれ回転可能に接続した両挿しチーズ継手を用いた回転ヘッダーである。
【００１６】
請求項６に係る発明は、円筒部の一方側に水道用メータユニットの二次側をワンタッチ継手を介して接続し、円筒部の他方側にワンタッチ継手構造を有するエルボ継手を接続して分岐継手構造とした両挿しチーズ継手を用いたメータユニット用の分岐継手である。
【００１７】
請求項７に係る発明は、両挿しチーズ継手、ワンタッチ継手並びにエルボ継手とを管軸を中心にそれぞれ回転可能に接続した両挿しチーズ継手を用いたメータユニット用の分岐継手である。
【発明の効果】
【００１８】
請求項１に係る発明によると、管軸方向の両端に継手挿口形状を有する円筒部を設けているので、この円筒部を汎用の継手に接続し、この継手と組み合わせて任意の数の分岐流路を設けることが可能になる。このため、汎用継手と組み合わせて回転ヘッダーや分岐継手を設けることができる。しかも、円筒部を外部の継手に挿入して接続できることで、この部分を支持具等により固定することを防いで管軸に対する回転の容易性を確保しつつ、外部継手を固定して全体を安定した状態で取付けることが可能になる。更に、円筒部を挿入して接続することで管軸方向の寸法を短くして優れたコンパクト性を発揮でき、汎用継手を外部継手として流用できることで部品点数も削減しながら分岐部分を有する継手を構成できる。
【００１９】
請求項２に係る発明によると、ワンタッチ継手に円筒部を挿入したときに抜け止め用ロックリングが係合溝に係合することで円筒部の抜け止め作用を高めることが可能になる。しかも、ロックリングが円筒部の外周部に食い込んでこの円筒部とともに回転することで、円滑な回転状態を確保しつつワンタッチ継手と強固に接続する。
【００２０】
請求項３に係る発明によると、分岐受口に樹脂管を挿入したときにその挿入量を目視により外方から確認できるため、樹脂管を所定の位置まで確実に接合可能になっている。
【００２１】
請求項４に係る発明によると、汎用のチーズ形、エルボ形などのワンタッチ継手と組み合わせて必要な数の分岐受口を有する分岐ヘッダー継手を設けることができ、しかも、コンパクト性を確保しつつ、安定した状態で強固に接続することが可能である。
【００２２】
請求項５に係る発明によると、両挿しチーズ継手とワンタッチ継手とを、管軸を中心に任意の方向に回転させて向きを変えた状態の分岐受口に樹脂管を接合でき、ヘッダー工法により省スペース化を図りつつフレキシブルに配管可能となる。
【００２３】
請求項６に係る発明によると、汎用のワンタッチ継手、エルボ継手と組み合わせて水道用メータユニットに接続し、この水道用メータユニットの二次側に２つの分岐受口を設けることができ、しかも、コンパクト性を確保して水道用メータユニットが狭いスペースに設置される場合でも分岐受口を設けることができる。
【００２４】
請求項７に係る発明によると、両挿しチーズ継手、エルボ継手を、管軸を中心に任意の方向に回転させて向きを変えた状態の分岐受口に樹脂管を接合でき、これらの分岐受口の自由度を確保しながら外部の流路と接合することができる。
【図面の簡単な説明】
【００２５】
【図１】本発明における両挿しチーズ継手の一実施形態を示した断面図である。
【図２】本発明の両挿しチーズ継手を用いた回転ヘッダーの一例を示した断面図である。
【図３】図２の一部拡大断面図である。
【図４】回転ヘッダーに支持具を取付けた状態を示す斜視図である。
【図５】図４における支持具を取外した状態を示す斜視図である。
【図６】本発明の両挿しチーズ継手を用いたメータユニット用の分岐継手の一例を示した断面図である。
【図７】水道用メータユニットを示した断面図である。
【発明を実施するための形態】
【００２６】
以下に、本発明における両挿しチーズ継手の実施形態を図面に基づいて詳細に説明する。図１は、本発明における両挿しチーズ継手の一実施形態を示した断面図である。本発明における両挿しチーズ継手本体（以下、継手本体という）１は、チーズ本体２を有し、このチーズ本体２の管軸Ｐの両端には継手挿口形状を呈する円筒部３、３がそれぞれ設けられている。更に、チーズ本体２のチーズ分岐位置には分岐受口４が設けられ、この分岐受口４には樹脂管５を接合可能になっている。チーズ本体２は、耐熱性を有する高強度のプラスチック、例えば、ポリフェニレンスルファイドにより形成されている。
【００２７】
円筒部３は、後述する外部のワンタッチ継手６に挿入して接続可能に設けられている。この円筒部３の内周・外周寸法は、架橋ポリエチレン管やポリブテン管等の樹脂管５と略同径になっている。円筒部３の外周には、ワンタッチ継手６の抜け止め用ロックリング７を係合する係合溝８が形成されている。円筒部３の長さは、後述する外部のワンタッチ継手に挿入され、挿入ガイド１３を継手奥部に収容し、シール部材１２によりシールされ、ロックリング７が係止溝８に係止可能な長さである。これにより、継手本体１とワンタッチ継手６とが接続可能になる。
【００２８】
図３において、管軸Ｐ方向における係止溝８の位置は、ロックリング７がこの係止溝８に係合した状態において、後述するチーズ形継手２１等のワンタッチ継手６における継手端面６ａと、チーズ本体２のフランジ部外側面２ａとの間に、両面が当接しない程度の隙間ｔを形成する位置に設けている。これにより、継手本体１とワンタッチ継手６とが管軸Ｐを中心にそれぞれ回転可能としつつ、管軸Ｐ方向の寸法を短くして優れたコンパクト性を発揮することができる。
【００２９】
分岐受口４は、円筒形状に形成されたコア部１０の外周側に透明筒体１１が形成された二重筒の構造になっており、これらの間には、シール部材１２、ロックリング７、挿入ガイド１３が装着されている。
【００３０】
コア部１０は、チーズ本体２と一体に形成され、このコア部１０の外周側には凹状溝１４が形成されている。
透明筒体１１は、例えば、透明な樹脂により形成され、コア部１０に形成された拡径部１５の外周側に螺着されている。これにより、透明筒体１１の外方側より樹脂管５の挿入量を目視確認できるようになっている。更に、透明筒体１１の外周側には、略円筒状のキャップ１６が螺着により取付けられる。
【００３１】
シール部材１２、１２はＯリングからなり、前記のコア部１０の凹状溝１４にそれぞれ装着されている。ロックリング７は、ステンレス鋼等により略環状に形成され、環状のリング部１８と保持爪１９とを有し、リング１８に対して保持爪１９が所定の傾斜角度で屈曲形成されている。ロックリング７は、リング部１８が透明筒体１１上面側とキャップ１６の内周底面側との間に回転自在になるように隙間を設けた状態で装着されている。
【００３２】
挿入ガイド１３は、例えば、ポリエチレン等の樹脂材料で形成され、図示しないスリットを有している。この挿入ガイド１３は、シール部材１２とロックリング７の保持爪１９との間に係止されるように分岐受口４内に仮止めされ、樹脂管５が挿入されたときにスリットにより拡縮変形しながらこの樹脂管５をガイドすることが可能になっている。
【００３３】
分岐受口４は、上述した構成によりワンタッチ継手構造を有し、樹脂管５をこの分岐受口４に接合する場合、樹脂管５は、コア部１０と透明筒体１１との間から挿入され、その挿入時にシール部材１２によって内周側がシールされて水密性が保たれる。このとき、挿入ガイド１３が樹脂管５によって挿入方向に押し込まれ、この挿入ガイド１３によって樹脂管５が案内されるため、樹脂管５の端部側がシール部材１２を巻込むことがなく、シール部材１２により確実にシール性が発揮される。
【００３４】
この場合、シール部材１２によるシールと同時に樹脂管５の外周側にロックリング７の保持爪１９が食い込むため、樹脂管５は抜け出しが防止されながらシール接合される。しかも、樹脂管５の挿入量を透明筒体１１の外方側より目視確認できるため、樹脂管５を分岐受口４の所定位置まで確実に挿入して接続できる。
【００３５】
この実施形態では、分岐受口４を、内部にシール部材１２、ロックリング７、挿入ガイド１３が装着されている汎用の接続構造としたが、樹脂管５をシール可能であり、かつ、抜け止めする機能を有する分岐受口４であればその構造に拘ることはない。このため、例えば、分岐受口４を二重筒以外の構造にしたり、内周シール以外のシール構造によって樹脂管５をシールすることもできる。
【００３６】
続いて、上記の両挿しチーズ継手を用いた回転ヘッダーの一実施形態を説明する。図２においては、両挿しチーズ継手を用いた回転ヘッダーの一例を示している。この回転ヘッダー本体（以下、ヘッダー本体という）２０は、上述した継手本体１と、チーズ形継手２１、エルボ継手２２、ストレート継手２３などのワンタッチ継手６を有し、継手本体１の円筒部（挿口）３をこれらのワンタッチ継手６に接続して複数の分岐受口４、受口部２５を有する分岐ヘッダーとして構成したものである。
【００３７】
図２において、各ワンタッチ継手６における継手本体１との接続部分と、樹脂管５との接合部分とは、汎用の構造であればよく、本実施形態では、双方ともに継手本体１の分岐受口４と同じ構造の受口部２５として設けられる。この受口部２５は、円筒形状のコア体部２６を有し、このコア体部２６の外周側に透明筒体１１が形成された二重筒の構造になっている。これらの間には、シール部材１２、ロックリング７、挿入ガイド１３が装着され、透明筒体１１の外周側にはキャップ１６が螺着により取付けられている。
【００３８】
この構造により、ワンタッチ継手６の各受口部２５に円筒部３や樹脂管５が接続可能に設けられている。このため、例えば、チーズ形継手２１の分岐位置の受口部２５に対して本発明の両挿しチーズ継手の円筒部３を接続することも可能である。
【００３９】
ヘッダー本体２０において、円筒部３を、各ワンタッチ継手６の受口部２５に挿入すると、継手本体１とワンタッチ継手６とが、管軸Ｐを中心にそれぞれ回転可能になる。これによって、継手本体１の分岐受口４やワンタッチ継手６の受口部２５の方向を変えることが可能になり、向きの異なる分岐受口４や受口部２５に樹脂管５を接続することが可能となる。このとき、ロックリング７が回転自在な状態で装着されていることから、このロックリング７の保持爪１９が円筒部３や樹脂管５の外周側に食い込んだ状態で、ロックリング７がこれらとともに回転するようになっている。
【００４０】
継手本体１とワンタッチ継手６との組み合わせ数は自由に変えることが可能であり、これを変えることにより、任意の数の分岐受口４、受口部２５を有する回転ヘッダーを設けることが可能になる。そのため、図示しないが、図２に示した合わせて４つの分岐受口４と受口部２５とを設けた回転ヘッダー以外にも、継手本体１の両側にエルボ継手２２、ストレート継手２３を接続して合わせて２つの分岐受口４と受口部２５とを形成するようにしてもよく、この場合、ストレート継手２３の受口部２５が回転ヘッダーとしての流入口となり、エルボ継手２２の受口部２５と、継手本体１の分岐受口４とが、ヘッダーの取出し部分（樹脂管５の接続部分）となる。
更に、上記と同様にして、継手本体１の両側にエルボ継手２２、ストレート継手２３を接続して３つの分岐受口４や受口部２５を有する回転ヘッダーを設けたり、或は、それ以上の数の分岐受口４や受口部２５を有する回転ヘッダーを設けることもできる。
【００４１】
図４においては、ヘッダー本体２０に支持具３０を取付けた状態を示している。この支持具３０は、図５に示すように、固定部３１と装着部３２とを有している。固定部３１は、図示しない床面等の被取付面に取付け可能な固定面３３と、支持具３０全体を図示しないねじ等により固定するための貫通孔３４を有している。装着部３２は、円の一部が切り欠かれた円弧形状を呈しており、この切欠き部分の内周側にエルボ継手２２、ストレート継手２３の透明筒体１１を装着することが可能になっている。
【００４２】
支持具３０を用いてヘッダー本体２０を取付ける場合には、先ず、固定面３３を被取付面に当接させ、貫通孔３４よりねじを被取付面に螺着して支持具３０を固定する。次いで、ヘッダー本体２０の透明筒体１１を装着部３２に嵌合させることでこの支持具３０にヘッダー本体２０を取付ける。このようにヘッダー本体２０を装着することで、ヘッダー本体２０は安定した状態で取付けられる。
【００４３】
この場合、支持具３０にヘッダー本体２０を固定した後でも各継手を回転させることが可能であり、このとき透明筒体１１が支持具３０に固定されるために円筒部３が支持具３０に固定されることが無く、各継手同士が回転しやすくなっている。
【００４４】
更に、図示しないが、例えば、チャンネル材などの平行な材料に支持具３０を固定し、この支持具３０にヘッダー本体２０を取付けるようにしてもよい。この場合、チャンネル材に支持具が固定されることにより、管軸Ｐの直線性が保持された状態でヘッダー本体２０が固定される。
【００４５】
次に、図６においては、本発明の両挿しチーズ継手を用いたメータユニット用の分岐継手の一例を示している。
この分岐継手本体４０は、水道用メータユニット４１用の継手であり、ワンタッチ継手であるストレート継手４２と、前述したワンタッチ継手構造を有するエルボ継手２２とが接続されている。
【００４６】
この実施形態のストレート継手４２では、一方側に受口部２５が形成され、この受口部２５に継手本体１の一方側の円筒部３が接続される。一方、ストレート継手４２の他方側にはおねじ部４３が形成され、このおねじ部４３は、水道用メータユニット４１との間に設けられるエルボ部材４５に形成されためねじ部４６に螺着される。エルボ部材４５の他方側にはナット部材４７が設けられており、エルボ部材４５はこのナット部材４７を介して水道用メータユニット４１に接続される。
【００４７】
継手本体１は、円筒部３の一方側に、水道用メータユニット４１の二次側がストレート継手４２を介して接続され、円筒部３の他方側にエルボ継手２２が接続された分岐継手構造になっている。
この構成により、分岐継手本体４０は、ワンタッチ継手４２の一次側を水道用メータユニット４１からの流入口としたときに、継手本体１の分岐受口４とエルボ継手２２の受口部２５とにより水道用メータユニット４１の流路を分岐させることができ、例えば、これらの２つの流路を屋内配管に分岐させるための取出し部とすることができる。
図７においては、分岐継手本体４０は、エルボ部材４５を介してメータユニット４１に接続されているが、エルボ部材を使用することなく分岐継手本体４０を水道用メータユニット４１に直接接続するようにしてもよい。
【００４８】
この分岐継手本体４０において、継手本体１、ワンタッチ継手４２、エルボ継手２２は、管軸Ｐを中心にそれぞれ回転可能に接続されているため、これらを回転することで分岐受口４、受口部２５の方向を変えることが可能になる。この場合にも、回転ヘッダーの場合と同様に、ロックリング７が円筒部３や樹脂管５とともに回転するようになっている。
【００４９】
上述したように、本発明の両挿しチーズ継手は、チーズ本体２の管軸Ｐ方向の両端に円筒部３、３をそれぞれ有すると共に、チーズ本体２のチーズ分岐位置にワンタッチ継手構造を有する分岐受口４を有しているので、円筒部３を汎用のチーズ形継手２１、エルボ継手２２、ストレート継手２３などのワンタッチ継手６に接続でき、既存の継手を利用して量産効果によってコストダウンを図りつつ、ヘッダー本体２０や分岐継手本体４０などの配管部材を設けることができる。
【００５０】
しかも、汎用の継手を利用することにより使用する継手本体１の数を最小限に抑え、かつ、ヘッダー本体２０や分岐継手本体４０における分岐受口４、受口部２５の分岐間隔が短くなるため、省スペース化による設置が可能になる。
【００５１】
更に、ヘッダー本体２０や分岐継手本体４０の固定後にも各継手部分を容易に回転でき、このときシール部材１２とロックリング７とにより樹脂管５をシール状態で強固に抜け止めしながら回転できる。その際、汎用のチーズ形継手、エルボ継手、ストレート継手としては、主にヘッダーシステムなどに用いられていない、いわゆる先分岐方式の給水配管システムで多く使用されている継手を使用することもできる。
【００５２】
継手本体１は、円筒部３の外周に係合溝８を有しているので、円筒部３を外部の継手に挿入したときにこの外部継手のロックリング７が係合溝８に係合して、確実に抜け止めした状態で継手を回転可能な状態に接続できる。
【符号の説明】
【００５３】
１  継手本体
２  チーズ本体
３  円筒部
４  分岐受口
５  樹脂管
６  ワンタッチ継手
７  ロックリング
８  係合溝
１１  透明筒体
２２  エルボ継手
４１  水道用メータユニット
Ｐ  管軸
【図１】
2011179660.tif 000003
【図２】
2011179660.tif 000004
【図３】
2011179660.tif 000005
【図４】
2011179660.tif 000006
【図５】
2011179660.tif 000007
【図６】
2011179660.tif 000008
【図７】
2011179660.tif 000009